(57)【要約】【課題】  食器カゴが上昇して停止したときのショックを軽減できる食器洗浄機を提供する。【解決手段】  食器洗浄機は、食器カゴ２３を昇降自在に支持している支持機構２１と、付勢手段３０を備えている。支持機構２１は、２本のリンク部材３１、３２がＸ字状に交差する交差点の周りに回動可能に連結された脚リンク２６を食器カゴ２４の両サイドに備えており、２本のリンク部材３１、３２の上端同士が接近すると食器カゴ２４を上昇させ、２本のリンク部材３１、３２の上端同士が離反すると食器カゴ２４を下降させる。付勢手段３０は、少なくとも一方の脚リンク２６の２本のリンク部材３１、３２の上端間に配置されており、上端間を接近させる側に付勢している第１弾性体と、上端間を離反させる側に付勢する第２弾性体を備えており、その第２弾性体は前記支持機構２１の上昇限界の近傍でのみ上端間に付勢力を作用させる。【選択図】  図２
2006204591.tif 000002
【特許請求の範囲】
【請求項１】
洗浄槽と、その洗浄槽内に収容されている食器カゴと、その食器カゴを昇降自在に支持している支持機構と、その支持機構を上昇側に付勢している付勢手段を備えており、
その支持機構は、２本のリンク部材がＸ字状に交差する交差点の周りに回動可能に連結されている脚リンクを食器カゴの両サイドに備えており、２本のリンク部材の上端同士が接近すると食器カゴを上昇させ、２本のリンク部材の上端同士が離反すると食器カゴを下降させるものであり、
その付勢手段は、少なくとも一方の脚リンクの２本のリンク部材の上端間に配置されており、上端間を接近させる側に付勢している第１弾性体と、上端間を離反させる側に付勢している第２弾性体を備えており、その第２弾性体は前記支持機構の上昇限界の近傍でのみ上端間に付勢力を作用させるものである、
ことを特徴とする食器洗浄機。
【請求項２】
前記付勢手段はシリンダを有しており、そのシリンダ内に第１弾性体と第２弾性体が収容されていることを特徴とする請求項１の食器洗浄機。
【請求項３】
前記食器カゴの下方位置に、各々のリンク部材の上端を水平方向に移動可能に案内するガイド部が形成されていることを特徴とする請求項１又は２の食器洗浄機。
【請求項４】
各々のリンク部材の下端に、洗浄槽の底面上を転動するローラが装着されていることを特徴とする請求項１から３のいずれかの食器洗浄機。
【請求項５】
食器カゴに洗浄槽の内側面に接触するローラが装着されていることを特徴とする請求項１から４のいずれかの食器洗浄機。
【請求項６】
食器カゴを上昇限界位置と下降限界位置にロック可能なロック手段が設けられていることを特徴とする請求項１から５のいずれかの食器洗浄機。
【請求項７】
食器カゴの両サイドに配置されている脚リンクの２本のリンク部材の下端同士を接続する部材を備えていることを特徴とする請求項１から６のいずれかの食器洗浄機。
【発明の詳細な説明】
【技術分野】
【０００１】
本発明は、食器洗浄機の食器カゴを昇降させる技術に関するものである。
【背景技術】
【０００２】
昇降する食器カゴを備えた食器洗浄機が知られている。食器カゴが下降限界に下降した状態で、食器カゴに入れられた食器は、洗浄槽内で洗浄される。食器カゴが上昇限界に上昇した状態で、食器カゴに食器の出し入れが行われる。食器カゴが上昇限界に上昇していると、無理な姿勢をとらなくても、食器を出し入れできる。
例えば、特許文献１に記載の食器洗浄機は、食器カゴがＸ字状の脚リンクを持つ支持機構によって昇降可能に支持されている。食器カゴは、支持機構に装着されているスプリングによって、上昇側に付勢されている。
【０００３】
【特許文献１】特開平６−２０９８９２号公報
【発明の開示】
【発明が解決しようとする課題】
【０００４】
食器カゴに入れられる食器のトータル重量は、食器の量や種類によって大きく変化する。食器カゴは、入れられている食器が重くても、上昇しなければならない。このため、食器カゴを上昇側に付勢するスプリングは、大きな付勢力を発生するものが用いられる。
しかしながら、大きな付勢力を発生するスプリングを採用すると、食器カゴに入れられている食器の重量が軽い場合に、食器カゴが速く上昇する。速く上昇すると、食器カゴが上昇限界で停止するときのショックが大きくなる。食器カゴが停止するときのショックが大きいと、食器が踊って大きな音がしたり、食器が破損してしまったりする。
本発明は、その問題を解決するためになされたものであり、食器カゴが上昇して停止したときのショックを軽減できる食器洗浄機を提供することを課題とする
【課題を解決するための手段】
【０００５】
本発明が提供する食器洗浄機は、洗浄槽と、その洗浄槽内に収容されている食器カゴと、その食器カゴを昇降自在に支持している支持機構と、その支持機構を上昇側に付勢している付勢手段を備えている。その支持機構は、２本のリンク部材がＸ字状に交差する交差点の周りに回動可能に連結されている脚リンクを食器カゴの両サイドに備えており、２本のリンク部材の上端同士が接近すると食器カゴを上昇させ、２本のリンク部材の上端同士が離反すると食器カゴを下降させるものである。その付勢手段は、少なくとも一方の脚リンクの２本のリンク部材の上端間に配置されており、上端間を接近させる側に付勢している第１弾性体と、上端間を離反させる側に付勢している第２弾性体を備えており、その第２弾性体は前記支持機構の上昇限界の近傍でのみ上端間に付勢力を作用させる。
この食器洗浄機によれば、支持機構の上昇限界の近傍でのみ、第２弾性体が２本のリンク部材の上端間を離反させて食器カゴを下降させる付勢力を作用させる。食器カゴが上昇する大部分のストロークでは、第２弾性体の付勢力が作用せず、食器カゴの上昇を妨げることがない。第２弾性体は、食器カゴが上昇し、上昇限界に近づいた時に食器カゴを下降させる付勢力を与え始める。第２弾性体によって、食器カゴが上昇限界で停止するよりも前に食器カゴの上昇速度が減速されはじめる。食器カゴは、上昇速度が減速された状態で上昇限界に上昇するために、上昇限界で停止するときのショックが軽減する。
【０００６】
上記の食器洗浄機において、付勢手段はシリンダを有しており、そのシリンダ内に第１弾性体と第２弾性体が収容されていることが好ましい。
このように構成されていると、シリンダで第１弾性体と第２弾性体を保護することができる。また、第１弾性体と第２弾性体の動きがスムーズで安定したものとなる。
【０００７】
上記の食器洗浄機において、食器カゴの下方位置に、各々のリンク部材の上端を水平方向に移動可能に案内するガイド部が形成されていることが好ましい。
この食器洗浄機は、食器カゴの下方位置に形成されているガイド部が、各々のリンク部材の上端を水平方向に移動可能に案内する。食器カゴと支持機構の接続を単純化することができる。
【０００８】
上記の食器洗浄機において、各々のリンク部材の下端に、洗浄槽の底面上を転動するローラが装着されていることが好ましい。
各々のリンク部材の下端に、洗浄槽の底面上を転動するローラが装着されていると、各々のリンク部材の下端は、スムーズに移動することができる。
【０００９】
上記の食器洗浄機において、食器カゴに洗浄槽の内側面に接触するローラが装着されていることが好ましい。
このようなローラが設けられていると、昇降する食器カゴの姿勢が安定する。
【００１０】
上記の食器洗浄機において、食器カゴを上昇限界位置と下降限界位置にロック可能なロック手段が設けられていることが好ましい。
このようなロック手段が設けられていると、食器カゴを上昇限界位置と下降限界位置で確実に静止させることができる。
【００１１】
上記の食器洗浄機において、食器カゴの両サイドに配置されている脚リンクの２本のリンク部材の下端同士を接続する部材を備えていることが好ましい。
このように構成されていると、支持機構の強度が向上する。また、食器カゴの両サイドに配置されている脚リンクが、非対称に開閉することが抑制され、食器カゴが傾くことが抑制される。
【発明の効果】
【００１２】
本発明の食器洗浄機によれば、食器カゴが上昇して停止したときに、食器カゴに加わるショックを軽減することができる。食器カゴに収容されている食器重量の大小にかかわらず、食器カゴをスムーズに昇降させることができる。
【発明を実施するための最良の形態】
【００１３】
後述する実施例の主要な特徴を記載する。
（１）食器洗浄機は、本体と、洗浄槽と、昇降部を備えている。洗浄槽は、スライドすることによって、本体から引き出すことができる。昇降部は、洗浄槽内に配置されている。
（２）昇降部は、昇降機構、カゴ台、食器カゴ、ロック部を備えている。昇降機構は、一方側昇降リンクと、他方側昇降リンクと、一方側昇降リンクと他方側昇降リンクのそれぞれに装着される付勢具を備えている。一方側昇降リンクはＸ字状に交差した状態で回動可能な第１リンク部材と第２リンク部材を有している。他方側昇降リンクも、一方側昇降リンクと同様の構成を有している。一方側昇降リンクと他方側昇降リンクは、カゴ台と、カゴ台の上に装着されている食器カゴを昇降可能に支持している。食器カゴには、食器が入れられる。ロック部は、食器カゴを上昇位置と下降位置にロックする。
（３）付勢具は、第１スプリングと第２スプリングを内蔵している。付勢具は、第１スプリングによってカゴ台と食器カゴを上方に付勢している。カゴ台と食器カゴは、付勢具に付勢されて下降位置から上昇位置に向けて上昇する。第２スプリングは、カゴ台と食器カゴが上昇位置に接近したときに、付勢具がカゴ台と食器カゴを上方に付勢している力を減少させる。このため、カゴ台と食器カゴは、上昇の速さが遅くなった状態で、上昇位置に達する。よって、カゴ台と食器カゴが上昇位置で停止するときの食器に加わるショックが軽減される。
【実施例】
【００１４】
本発明の食器洗浄機に係る一実施例を、図面を参照しながら説明する。
図１に示すように、食器洗浄機１０は、本体１２と、洗浄槽１４と、昇降部２０を備えている。本体１２は、箱状に形成されており、前方（図１の左方）が開放されている。洗浄槽１４は、上部が開放されており、図示しないレールとローラに支持されて、本体１２に収容された収容位置と引き出された引出位置（図１に図示された位置）との間をスライドする。昇降部２０は、洗浄槽１４内に配置されている。
図２に示すように、昇降部２０は、昇降機構（支持機構）２１、カゴ台２３、食器カゴ２４、ロック部２５を備えている。洗浄槽１４には、食器に洗浄水を噴射する噴射ノズルや、噴射ノズルに洗浄水を供給する洗浄ポンプ等が装着されているが、それらの図示は省略されている。
【００１５】
昇降機構２１は、一方側昇降リンク（一方側脚リンク）２６と、他方側昇降リンク（他方側脚リンク）２７（図３参照）と、一方側昇降リンク２６と他方側昇降リンク２７のそれぞれに装着される付勢具３０を備えている。なお、図３では、洗浄槽１４と食器カゴ２４の図示を省略している。
一方側昇降リンク２６は、第１リンク部材３１、第２リンク部材３２、ローラ３３、ローラ３４を有している。第１リンク部材３１と第２リンク部材３２は、板状の部材を曲げ成形したものである。ローラ３３は、ピン２８によって、第１リンク部材３１の下端部に回転可能に取り付けられている。ローラ３４は、ピン２９によって、第２リンク部材３２の下端部に回転可能に取り付けられている。ローラ３３とローラ３４は、洗浄槽１４の底面３６上に配置されている。第１リンク部材３１の中間部分と第２リンク部材３２の中間部分は、ピン３５によって回動可能に接続されている。
他方側昇降リンク２７は、一方側昇降リンク２６と同様の構成を持っており、図３に示すように、第３リンク部材、第４リンク部材３８、第３リンク部材の下端に回転可能に装着されたローラ、第４リンク部材３８の下端に回転可能に装着されたローラ３７を備えている（図３では、第３リンク部材と、第３リンク部材の下端に装着されているローラは、第４リンク部材３８とローラ３７に隠れている）。ピン２９は、水平方向に延びており、一方側昇降リンク２６の第２リンク部材３２と、他方側昇降リンク２７の第４リンク部材３８を連結した状態で、第４リンク部材３２にローラ３７を回転可能に装着している。図３では、ピン２９に隠れて図示されていないが、ピン２８もピン２９と同様に、一方側昇降リンク２６の第１リンク部材３１と、他方側昇降リンク２７の第３リンク部材を連結した状態で、第３リンク部材にローラを回転可能に装着している。
以下においては、一方側昇降リンク２６と他方側昇降リンク２７を、一方側昇降リンク２６で代表して説明する。また、特に必要がない限り、一方側昇降リンク２６を、単に昇降リンク２６と記載する。
【００１６】
図４に示すように、付勢具３０は、シリンダ４０と、可動軸４１と、第１スプリング４２と第２スプリング４３を備えている。シリンダ４０は、略円筒状であり、一端４７が閉塞され、他端４８に軸方向に貫通する孔５２が形成されている。シリンダ４０の一端４７には、ピン孔４４が設けられている。可動軸４１の一端には、外径がシリンダ４０の内径よりも僅かに小さいフランジ４６が形成されている。可動軸４１の他端には、ピン孔４５が設けられている。可動軸４１は、フランジ４６がシリンダ４０内に配置された状態で、貫通孔５２を通過して外部に突き出している。
第１スプリング４２と第２スプリング４３は、コイルスプリングである。第１スプリング４２は、可動軸４１に巻き付くとともに付勢された状態で、シリンダ４０の他端４８とフランジ４６との間に配置されている。第２スプリング４３は、シリンダ４０内で、フランジ４６とシリンダ４０の一端４７との間に、付勢された状態で配置されている。第１スプリング４２のバネ定数は、第２スプリング４３のそれよりも大きく設定されている。外力が付勢具３０に作用していないときには、可動軸４１のフランジ４６は、図４に示すように、シリンダ４０の一端４７側に配置される。
図２に示すように、付勢具３０のシリンダ４０と第１リンク部材３１の上端は、シリンダ４０のピン孔４４を通過するピン５４によって接続されている。付勢具３０の可動軸４１と第２リンク部材３２の上端は、可動軸４１のピン孔４５を通過するピン５３によって接続されている。
【００１７】
カゴ台２３は、複数の曲げ成形された部材が結合された構成を有している。図３に良く示すように、カゴ台２３の両側部には、下方を向いた一対のフレーム５８が設けられている。図２に示すように、フレーム５８の後方側には、水平方向に延びる第１スリット５６が形成されている。フレーム５８の前方側にも、水平方向に延びる第２スリット５５が形成されている。そして、付勢具３０のシリンダ４０と第１リンク部材３１の上端を接続しているピン５４の両端が、フレーム５８の第１スリット５６を通過している。付勢具３０の可動軸４１と第２リンク部材３２の上端を接続しているピン５３の両端が、フレーム５８の第２スリット５５を通過している。
食器カゴ２４は、カゴ台２３上に取り付けられている。食器カゴ２４には、ローラ６０、６１、６２、６３、６４、６５、６６、６７が回転可能に取り付けられている（図２では、その内のローラ６０、６３を図示している）。図５に示すように、ローラ６０、６７は、洗浄槽１４の前方の側壁内面７０と接触する位置に配されている（図５では、食器カゴ２４の図示を省略している）。ローラ６３、６４は、洗浄槽１４の後方の側壁内面７１と接触する位置に配されている。ローラ６５、６６は、洗浄槽１４の一方側の側壁内面７２と接触する位置に配されている。ローラ６１、６２は、洗浄槽１４の他方側の側壁内面７３と接触する位置に配されている。
【００１８】
図２、図５に示すように、洗浄槽１４の後方の側壁内面７１には、第１ガイド部材８１が装着されている。洗浄槽１４の前方の側壁内面７０には、第２ガイド部材８０が装着されている。図６に示すように、第１ガイド部材８１は、ハット状の断面を有している。第１ガイド部材８１には、上下方向に延びるスリット８２が形成されている。スリット８２の上端位置に対向する後方の側壁内面７１には、上ロック孔８３が形成されている。スリット８２の下端位置に対向する後方の側壁内面７１には、下ロック孔８４が形成されている。
第２ガイド部材８０も、第１ガイド部材８１と同様の構成を有している。図２に示すように、洗浄槽１４の前方の側壁内面７０には、上ロック孔８５と下ロック孔８６が形成されている。
【００１９】
図２に示すように、ロック部２５は、支持部材９８、第１レバー９０、第２レバー９１、第１ロッド９２、第２ロッド９３、スプリング１１０（図７、図８に図示）を備えている。図８に示すように、支持部材９８は、略Ｕ字状に形成されており、カゴ台２３の構成部材であって、前後方向に延びているアングル７４（図５参照）に固定されている。第１レバー９０と第２レバー９１は、略Ｕ字状に形成されている。第１レバー９０と第２レバー９１は、第２レバー９１の内側に第１レバー９０が配置された状態で、ピン１０１を介して支持部材９８によって支持されている。図７に良く示すように、第１レバー９０の上部には、第１握り部８７が設けられている。第２レバー９１の上部には、第２握り部８８が設けられている。第１握り部８７と第２握り部８８は、図７に示された状態で、使用者が手の平で握ることができる程度に離れている。第１レバー９０の下部には、切込み１０３が形成されている。第２レバー９０の下部にも、切込み１０５が形成されている。
【００２０】
図５に示すように、カゴ台２３のアングル７４には、板状のブラケット９４、９５、９６、９７が取り付けられている。ブラケット９４、９５、９６、９７には、貫通孔が設けられている。第１ロッド９２は丸棒状に形成されており、ブラケット９６とブラケット９７に設けられている貫通孔を通過している。第２ロッド９３も丸棒状に形成されており、ブラケット９４、９５に設けられている貫通孔を通過している。従って、第１ロッド９２と第２ロッド９３は、水平方向にスライドすることができる。
図７、図８に示すように、第１ロッド９２の内端部１１７には、直交する丸棒状の第１バー１０６が溶接によって固定されている。第２ロッド９３の内端部１１８には、丸棒状の第２バー１０７が溶接によって固定されている。第１バー１０６の両端部は、第１レバー９０の切込み１０３に入り込んでいる。第２バー１０７の両端部は、第２レバー９１の切込み１０５に入り込んでいる。
スプリング１１０は、ねじりコイルバネである。ピン１０１は、スプリング１１０の巻回部分を通過している。スプリング１１０は、一端１１１が第１バー１０６に当接し、他端１１２が第２バー１０７に当接することによって、第１バー１０６と第２バー１０７を外方に付勢している。また、スプリング１１０は、第１バー１０６と第２バー１０７を介して、第１レバー９０と第２レバー９１を、第１握り部８７と第２握り部８８を離反させる方向に付勢している。
【００２１】
詳しくは後述するが、食器カゴ２４は、カゴ台２３とともに、一方側昇降リンク２６と他方側昇降リンク２７に支持された状態で、上昇位置（上昇限界位置）と下降位置（下降限界位置）との間を昇降する。図２は、食器カゴ２４が上昇位置に配された状態を示している。この状態で、付勢具３０は、僅かに伸長されている。付勢具３０は、伸長されると、第１スプリング４２が縮み、その縮みを補うように第２スプリング４３が伸びる。伸長した付勢具３０は、ピン５３とピン５４を介して、一方側昇降リンク２６の第１リンク部材３１の上端と、第２リンク部材３２の上端とを、接近させる方向に付勢している。従って、食器カゴ２４が上昇位置に配されているときには、カゴ台２３に上方向きの力が作用している。そして、その状態では、第１ロッド９２の外端部１１４が、第１ガイド部材８１のスリット８２の上端に当接しながら、上ロック孔８３に入り込んでいる。同様に、第２ロッド９３の外端部１１５は、第２ガイド部材８０のスリットの上端に当接しながら、上ロック孔８５に入り込んでいる。すなわち、カゴ台２３は、上方向きの力が作用している状態で、第１ロッド９２の外端部１１４がスリット８２の上端に当接するとともに、第２ロッド９３の外端部１１５が第２ガイド部材８０のスリットに当接することによって、上昇位置で安定している。この場合、付勢具３０のピン孔４４を通過しているピン５４と、フレーム５８の第１スリット５６の内端との間には、隙間が設けられている。同様に、付勢具３０のピン孔４５を通過しているピン５３と、フレーム５８の第２スリット５５の内端との間には、隙間が設けられている。食器カゴ２４に大量の重い食器が入れられ（保持され）、発生している付勢力以上の力が付勢具３０に作用しても、第１ロッド９２の外端部１１４が上ロック孔８３に入り込み、第２ロッド９３の外端部１１５が上ロック孔８５に入り込んでいることによって、カゴ台２３が下降するのが防止される。
【００２２】
食器カゴ２４を下降させるときには、第１レバー９０の第１握り部８７と第２レバー９１の第２握り部８８を握る。第１握り部８７と第２握り部８８を握ると、それらが接近し、第１握り部８７が第２握り部８８の下側に入り込む。スプリング１１０の付勢力は、軽く握れば第１握り部８７と第２握り部８８が接近するように、調整されている。
第１握り部８７と第２握り部８８を握ると、第１レバー９０と第２レバー９１の下端が接近することによって、第１バー１０６と第２バー１０７が内方側に移動する。第１バー１０６と第２バー１０７が内方側に移動すると、第１ロッド９２と第２ロッド９３が内方側にスライドする。すると、第１ロッド９２の外端部１１４が上ロック孔８３から抜け出すとともに、第２ロッド９３の外端部１１５が上ロック孔８５から抜け出す。
第１レバー９０の第１握り部８７と第２レバー９１の第２握り部８８を握りながら下方に押すと、カゴ台２３とともに食器カゴ２４が下降する。下降すると、昇降リンク２６の第１リンク部材３１のローラ３３と、第２リンク部材３２のローラ３４は、離反しながら回転する。また、第１リンク部材３１の上端と第２リンク部材３２の上端が離反することによって、付勢具３０が伸長される。付勢具３０は、伸長されると、第１スプリング４２（図４参照）が縮まり、それを補うように第２スプリング４３が伸びてゆく。第２スプリング４３は、付勢具３０が伸長される途中で自由長さになる。
第１リンク部材３１の上端と第２リンク部材３２の上端が離反すると、ピン５４は、フレーム５８の第１スリット５６を外方側に移動する。ピン５３は、第２スリット５５を外方側に移動する。カゴ台２３と食器カゴ２４が下降するときには、他方側昇降リンク２７も、一方側昇降リンク２６と同様に動作する。
カゴ台２３と食器カゴ２４が下降すると、第１ロッド９２の外端部１１４は、第１ガイド部材８１のスリット８２内を下方に移動する。第２ロッド９３の外端部１１５は、第２ガイド部材８０のスリット内を下方に移動する。ローラ６０、６１、６２、６３、６４、６５、６６、６７が洗浄槽１４の内面７０、７１、７２、７３と回転しながら接触することによって、カゴ台２３と食器カゴ２４は、洗浄槽１４内を安定した姿勢で下降する。
【００２３】
カゴ台２３と食器カゴ２４を下降位置まで下降させると、第１ロッド９２の外端部１１４が第１ガイド部材８１のスリット８２の下端に当接し、第２ロッド９３の外端部１１５が第２ガイド部材８０のスリットの下端に当接する。その状態で、第１レバー９０と第２レバー９１を下方に押しつつ、第１握り部８７と第２握り部８８を握っていた力を弱めると、スプリング１１０の付勢力によって、第１握り部８７と第２握り部８８が離反する。すると、図９に示すように、第１ロッド９２の外端部１１４が下ロック孔８４に入り込むとともに、第２ロッド９３の外端部１１５が下ロック孔８６に入り込む。第１ロッド９２の外端部１１４が下ロック孔８４に入り込み、第２ロッド９３の外端部１１５が下ロック孔８６に入り込んでから、第１レバー９０と第２レバー９１から手を離す。カゴ台２３と食器カゴ２４は、下降位置にロックされる。
図１０は、カゴ台２３と食器カゴ２４を下降位置に配したことによって、伸長された状態の付勢具３０を図示している。付勢具３０は、第１スプリング４２は強く圧縮されていることによって、強く収縮しようとしている。第２スプリング４３は、自由長さになっている。従って、可動軸４１は第２スプリング４３によって付勢されていない。
【００２４】
カゴ台２３と食器カゴ２４が下降位置に配された状態で、第１レバー９０の第１握り部８７と、第２レバー９１の第２握り部８８を握ると、第１ロッド９２の外端部１１４が下ロック孔８４から抜けだし、第２ロッド９３の外端部１１５が下ロック孔８６から抜け出すことによって、下降位置でのロック状態が解除される。第１レバー９０と第２レバー９１を持ち上げなくても、カゴ台２３と食器カゴ２４は、付勢具３０の付勢力によって上昇する。
カゴ台２３と食器カゴ２４が上昇する過程で、付勢具３０の第１スプリング４２（図４、図１０参照）は伸びてゆく。カゴ台２３と食器カゴ２４が上昇位置に接近すると、可動軸４１のフランジ４６が第２スプリング４３と当接する。それ以降は、第２スプリング４３は、縮みながら可動軸４１のフランジ４６を付勢する。従って、付勢具３０の収縮する速さ（可動軸４１が縮む速さ）が遅くなる。付勢具３０の収縮する速さが遅くなると、カゴ台２３と食器カゴ２４が上昇する速さも遅くなる。カゴ台２３と食器カゴ２４が上昇位置に達すると、スプリング１１０に付勢されて、第１ロッド９２の外端部１１４が上ロック孔８３に入り込むとともに、第１ガイド部材８１のスリット８２の上端に当接する。同時に、第２ロッド９３の外端部１１５が上ロック孔８５に入り込むとともに、第２ガイド部材８０のスリットの上端に当接する。上述したように、本発明の食器洗浄機１０は、カゴ台２３と食器カゴ２４が上昇位置に接近すると、上昇する速さが積極的に遅くされる。よって、カゴ台２３と食器カゴ２４が上昇位置に達したときのショックが軽減される。ショックが軽減されると、食器が踊ることによって発生する音の抑制や、食器の破損防止が可能になる。
【００２５】
カゴ台２３と食器カゴ２４が上昇位置に接近したときに、付勢具３０の第１スプリング４２が自由長になり、その後に可動軸４１のフランジ４６が第２スプリング４３に当接し、第２スプリング４３が圧縮されるようにすることもできる。このように構成すると、上昇位置に達するよりも前に第１スプリング４２が自由長になるので、カゴ台２３と食器カゴ２４の上昇する速さがより遅くなる。第１スプリング４２が自由長さになってから、カゴ台２３と食器カゴ２４は勢いで上昇する。その過程で第２スプリング４３は圧縮される。第２スプリング４３が圧縮されながら、カゴ台２３と食器カゴ２４が上昇し、上昇位置に達する。すると、第１ロッド９２の外端部１１４が上ロック孔８３に入り込み、第２ロッド９３の外端部１１５が上ロック孔８５に入り込むことによって、カゴ台２３と食器カゴ２４は上昇位置にロックされる。
付勢具３０は、スプリングによって付勢力を発生するものでなくてもよい。例えば、封入したガス圧力によって付勢力を発生する。
【００２６】
以上、本発明の具体例を詳細に説明したが、これらは例示にすぎず、特許請求の範囲を限定するものではない。特許請求の範囲に記載の技術には、以上に例示した具体例を様々に変形、変更したものが含まれる。
また、本明細書または図面に説明した技術要素は、単独であるいは各種の組合せによって技術的有用性を発揮するものであり、出願時の請求項記載の組合せに限定されるものではない。また、本明細書または図面に例示した技術は複数目的を同時に達成するものであり、そのうちの一つの目的を達成すること自体で技術的有用性を持つものである。
【図面の簡単な説明】
【００２７】
【図１】食器洗浄機の側面図。
【図２】洗浄槽内に昇降部が配置された状態の断面図。
【図３】図２のIII−III線矢視図。
【図４】付勢具の断面図。
【図５】図２のV−V線矢視図。
【図６】第１ガイド部材が洗浄槽内面に取り付けられた状態の斜視図。
【図７】レバー部の詳細側面図。
【図８】図７のVIII−VIII線矢視図。
【図９】洗浄槽内に昇降部が配置された状態の断面図。
【図１０】付勢具の断面図。
【符号の説明】
【００２８】
１０：食器洗浄機
１２：本体
１４：洗浄槽
２０：昇降部
２１：昇降機構
２３：カゴ台
２４：食器カゴ
２５：ロック部
２６：一方側昇降リンク
２７：他方側昇降リンク
２８、２９：ピン
３０：付勢具
３１：第１リンク部材
３２：第２リンク部材
３３、３４：ローラ
３５：ピン
３６：底面
３７：ローラ
３８：第４リンク部材
４０：シリンダ
４１：可動軸
４２：第１スプリング
４３：第２スプリング
４４、４５：ピン孔
４６：フランジ
４７：シリンダの一端
４８：シリンダの他端
５２：貫通孔
５３、５４：ピン
５５：第２スリット
５６：第１スリット
５８：フレーム
６０、６１、６２、６３、６４、６５、６６、６７：ローラ
７０：前方壁内面
７１：後方壁内面
７２：一方側壁内面
７３：他方側壁内面
７４：アングル
８０：第２ガイド部材
８１：第１ガイド部材
８２：スリット
８３：上ロック孔
８４：下ロック孔
８５：上ロック孔
８６：下ロック孔
８７：第１握り部
８８：第２握り部
９０：第１レバー
９１：第２レバー
９２：第１ロッド
９３：第２ロッド
９４、９５、９６、９７：ブラケット
９８：支持部材
１０３：切込み
１０５：切込み
１０６：第１バー
１０７：第２バー
１１０：スプリング
１１１：スプリングの一端
１１２：スプリングの他端
１１４：第１ロッドの外端部
１１５：第２ロッドの外端部
１１７：第１ロッドの内端部
１１８：第２ロッドの内端部
【図１】
2006204591.tif 000003
【図２】
2006204591.tif 000004
【図３】
2006204591.tif 000005
【図４】
2006204591.tif 000006
【図５】
2006204591.tif 000007
【図６】
2006204591.tif 000008
【図７】
2006204591.tif 000009
【図８】
2006204591.tif 000010
【図９】
2006204591.tif 000011
【図１０】
2006204591.tif 000012